(57)【特許請求の範囲】
【請求項１】
画像表示過程に適用されるプリセット逆方向駆動方法であって、
リアルタイムに表示パネルに表示される画像に対応する所定フレームに時間的に連続する複数のフレームにおいて、複数の画素がそれぞれ点灯するか否かを示す画素点灯情報を取得する情報取得ステップと、
前記情報取得ステップにおいて取得された画素点灯情報に基づいて、各フレーム毎に順方向駆動信号と前記順方向駆動信号に対応する逆方向駆動信号とを生成する信号生成ステップと、
前記所定フレームに時間的に連続する複数の前記フレームにおいて点灯しない画素のみに前記信号生成ステップにおいて生成された前記順方向駆動信号を各フレーム毎に印加する前に、前記信号生成ステップにおいて生成された前記逆方向駆動信号を各フレーム毎に印加する信号印加ステップと、
複数の前記画素を備えて構成される量子ドット点灯ダイオードＱＬＥＤを、各フレーム毎に順に印加された前記逆方向駆動信号及び前記順方向駆動信号により駆動する駆動ステップと、
を含む、ことを特徴とする、プリセット逆方向駆動方法。
【請求項２】
前記順方向駆動信号及び前記逆方向駆動信号が印加された同一の前記フレームにおいて、前記逆方向駆動信号の強度は、前記順方向駆動信号の強度に比例する、ことを特徴とする、請求項１に記載のプリセット逆方向駆動方法。
【請求項３】
前記逆方向駆動信号は、逆方向電圧、逆方向電流、又は逆方向電圧と逆方向電流とが交互に使用されるものの何れか一つである、ことを特徴とする、請求項１に記載のプリセット逆方向駆動方法。
【請求項４】
前記逆方向電圧は、映像表示パネルの絶縁破壊電圧よりも小さい、ことを特徴とする、請求項３に記載のプリセット逆方向駆動方法。
【請求項５】
前記逆方向電流は、映像表示パネルの絶縁破壊電流よりも小さい、ことを特徴とする、請求項３に記載のプリセット逆方向駆動方法。
【請求項６】
前記逆方向駆動信号の波形は、矩形波、三角波、ランプ波、又は正弦波のうちの少なくとも一つである、ことを特徴とする、請求項３に記載のプリセット逆方向駆動方法。
【請求項７】
前記逆方向駆動信号が、逆方向電圧と逆方向電流とが交互に使用されるものである場合、前記逆方向電圧と前記逆方向電流との時間の合計は、前記フレームの１％から９９％を占める、ことを特徴とする、請求項３に記載のプリセット逆方向駆動方法。
【請求項８】
前記逆方向駆動信号が、逆方向電圧と逆方向電流とが交互に使用されるものである場合、前記逆方向電圧と逆方向電流との時間の合計は、前記フレームの１０％から６０％を占める、ことを特徴とする、請求項７に記載のプリセット逆方向駆動方法。
【請求項９】
前記逆方向駆動信号が逆方向電圧である場合、前記逆方向電圧の時間は、前記フレームの１％から９９％を占め、又は、前記逆方向電圧の周波数は、６０Ｈｚ以上であり、或いは、前記逆方向電圧の幅は、−１０Ｖから−０．１Ｖである、ことを特徴とする、請求項３に記載のプリセット逆方向駆動方法。
【請求項１０】
前記逆方向駆動信号が逆方向電圧である場合、前記逆方向電圧の時間は、前記フレームの１０％から６０％を占め、又は、前記逆方向電圧の周波数は、６０Ｈｚから２４０Ｈｚであり、或いは、前記逆方向電圧の幅は、−５Ｖから−１Ｖである、ことを特徴とする、請求項３に記載のプリセット逆方向駆動方法。
【請求項１１】
前記逆方向駆動信号が逆方向電流である場合、前記逆方向電流の時間は、前記フレームの１％から９９％を占め、又は、前記逆方向電流の周波数は、６０Ｈｚ以上であり、或いは、前記逆方向電流の幅は、−１Ａｍ／ｃｍ-2から−０．０００１Ａｍ／ｃｍ-2である、ことを特徴とする、請求項３に記載のプリセット逆方向駆動方法。
【請求項１２】
前記逆方向駆動信号が逆方向電流である場合、前記逆方向電流の時間は、前記フレームの１０％から６０％を占め、又は、前記逆方向電流の周波数は、６０Ｈｚから２４０Ｈｚであり、或いは、前記逆方向電流の幅は、−０．１Ａｍ／ｃｍ-2から−０．０００１Ａｍ／ｃｍ-2である、ことを特徴とする、請求項３に記載のプリセット逆方向駆動方法。
【請求項１３】
前記順方向駆動信号及び前記逆方向駆動信号が印加された同一の前記フレームにおいて、前記逆方向駆動信号は、前記順方向駆動信号に隣接しない第１サブ逆方向駆動信号と、前記順方向駆動信号に隣接する第２サブ逆方向駆動信号と、を有し、
前記第１サブ逆方向駆動信号と前記第２サブ逆方向駆動信号との中間には、ブランク駆動信号が設けられる、ことを特徴とする、請求項１に記載のプリセット逆方向駆動方法。
【請求項１４】
前記ブランク駆動信号の時間は、前記フレームの０％から１５％を占める、ことを特徴とする、請求項１３に記載のプリセット逆方向駆動方法。
【請求項１５】
前記逆方向駆動信号が、逆方向電圧と逆方向電流とが交互に使用されるものである場合、
前記逆方向電圧と逆方向電流との時間の合計は、前記フレームの１％から９９％を占める、ことを特徴とする、請求項１３に記載のプリセット逆方向駆動方法。
【請求項１６】
前記逆方向駆動信号が、逆方向電圧と逆方向電流とが交互に使用されるものである場合、
前記逆方向電圧と前記逆方向電流との時間の合計は、前記フレームの１０％から６０％を占める、ことを特徴とする、請求項１３に記載のプリセット逆方向駆動方法。
【請求項１７】
前記逆方向駆動信号が逆方向電圧である場合、
前記逆方向電圧の時間は、前記フレームの１％から９９％を占め、又は、前記逆方向電圧の周波数は、６０Ｈｚ以上であり、或いは、前記逆方向電圧の幅は、−１０Ｖから−０．１Ｖである、ことを特徴とする、請求項１３に記載のプリセット逆方向駆動方法。
【請求項１８】
前記逆方向駆動信号が逆方向電圧である場合、
前記逆方向電圧の時間は、前記フレームの１０％から６０％を占め、又は、前記逆方向電圧の周波数は、６０Ｈｚから２４０Ｈｚであり、或いは、前記逆方向電圧の幅は、−５Ｖから−１Ｖである、ことを特徴とする、請求項１３に記載のプリセット逆方向駆動方法。
【請求項１９】
前記逆方向駆動信号が逆方向電流である場合、
前記逆方向電流の時間は、前記フレームの１％から９９％を占め、又は、前記逆方向電流の周波数は、６０Ｈｚ以上であり、或いは、前記逆方向電流の幅は、−１Ａｍ／ｃｍ-2から−０．０００１Ａｍ／ｃｍ-2である、ことを特徴とする、請求項１３に記載のプリセット逆方向駆動方法。
【請求項２０】
前記逆方向駆動信号が逆方向電流である場合、
前記逆方向電流の時間は、前記フレームの１０％から６０％を占め、又は、前記逆方向電流の周波数は、６０Ｈｚから２４０Ｈｚであり、或いは、前記逆方向電流の幅は、−０．１Ａｍ／ｃｍ-2から−０．０００１Ａｍ／ｃｍ-2である、ことを特徴とする、請求項１３に記載のプリセット逆方向駆動方法。
【発明の詳細な説明】
【技術分野】
【０００１】
本発明は、表示パネルの技術分野に関し、特に映像表示過程に適用されるプリセット逆方向駆動方法に関する。
【背景技術】
【０００２】
量子ドット点灯ダイオード（ＱＬＥＤ）の寿命は、常にその汎用性を制限するボトルネックである。材料、デバイス及び製造プロセスの最適化に加え、量子ドット点灯ダイオードを駆動することも、量子ドット点灯ダイオードの光強度減衰を緩め、量子ドット点灯ダイオードの寿命を増強する方法である。
【０００３】
一般的に、量子ドット点灯ダイオードは、第１電極、正孔伝送層、量子ドット点灯層、電子伝送層及び第２電極から構成される。各層のエネルギレベルが異なり、すなわち、エネルギレベルの差が存在するため、量子ドット点灯ダイオードの動作中では、電荷は、エネルギレベルの差が存在する境界面、特に量子ドット点灯層と接触する境界面に集中する。これにより、量子ドットの点灯特性に大きな影響を与えるので、点灯強度が低下する。これらの欠陥は、キャリアを制限する原因でもある。量子ドット点灯ダイオードの動作時間が増加すると、より多くの電荷が境界面に制限され、この境界面が消光光子の中心となるので、点灯強度が大幅に低下し、量子ドット点灯ダイオードの使用寿命も短くなる。
【０００４】
同様に、映像表示過程において、表示パネルの点灯ダイオードが量子ドット点灯ダイオードである場合、映像内容の表示が駆動されると、電荷の集中は、映像表示の輝度及び映像表示パネルの使用寿命に重大な影響を与えてしまう。
【０００５】
このように、上記技術を改善及び発展する余地がある。
【発明の概要】
【発明が解決しようとする課題】
【０００６】
本発明は、上記従来技術の問題に鑑みてなされたものであり、既存の映像表示過程において、長時間の電荷集中によって映像表示の輝度及び映像表示パネルの使用寿命に重大な影響が与えられるという問題を解決するための、映像表示過程に適用されるプリセット逆方向駆動方法を提供することを目的とする。
【課題を解決するための手段】
【０００７】
本発明のある態様によれば、
映像表示過程に適用されるプリセット逆方向駆動方法であって、
内容のロードにより、映像における画素の後の複数のフレームに表示される表示内容を事前に取得するステップＡと、
複数の前記フレームに表示される表示内容の順方向駆動信号を駆動する前にそれぞれ逆方向駆動信号を印加し、映像表示パネルにおける画素の電荷集中を事前に抑制するテップＢと、
を含むプリセット逆方向駆動方法が提供される。
【０００８】
映像表示過程に適用される前記プリセット逆方向駆動方法において、前記逆方向駆動信号の強度は、前記順方向駆動信号の強度に比例する。
【０００９】
映像表示過程に適用される前記プリセット逆方向駆動方法において、前記逆方向駆動信号は、逆方向電圧、逆方向電流、又は逆方向電圧と逆方向電流とが交互に使用されるものの何れか一つである。
【００１０】
映像表示過程に適用される前記プリセット逆方向駆動方法において、前記逆方向電圧は、映像表示パネルの絶縁破壊電圧よりも小さい。
【００１１】
映像表示過程に適用される前記プリセット逆方向駆動方法において、前記逆方向電流は、映像表示パネルの絶縁破壊電流よりも小さい。
【００１２】
映像表示過程に適用される前記プリセット逆方向駆動方法において、前記逆方向駆動信号の波形は、矩形波、三角波、ランプ波、又は正弦波のうちの少なくとも一つである。
【００１３】
映像表示過程に適用される前記プリセット逆方向駆動方法において、前記逆方向駆動信号が、逆方向電圧と逆方向電流とが交互に使用されるものである場合、前記逆方向電圧と前記逆方向電流との時間の合計は、周期の１％から９９％を占める。
【００１４】
映像表示過程に適用される前記プリセット逆方向駆動方法において、前記逆方向駆動信号と前記順方向駆動信号とによって、駆動周期が形成され、前記逆方向駆動信号が、逆方向電圧と逆方向電流とが交互に使用されるものである場合、前記逆方向電圧と前記逆方向電流との時間の合計は、周期の１０％から６０％を占める。
【００１５】
映像表示過程に適用される前記プリセット逆方向駆動方法において、前記逆方向駆動信号と前記順方向駆動信号とによって、駆動周期が形成され、前記逆方向駆動信号が逆方向電圧である場合、前記逆方向電圧の時間は、周期の１％から９９％を占め、又は、前記逆方向電圧の周波数は、６０Ｈｚ以上であり、或いは、前記逆方向電圧の幅は、−１０Ｖから−０．１Ｖである。
【００１６】
映像表示過程に適用される前記プリセット逆方向駆動方法において、前記逆方向駆動信号と前記順方向駆動信号とによって、駆動周期が形成され、前記逆方向駆動信号が逆方向電圧である場合、前記逆方向電圧の時間は、周期の１０％から６０％を占め、又は、前記逆方向電圧の周波数は、６０Ｈｚから２４０Ｈｚであり、或いは、前記逆方向電圧の幅は、−５Ｖから−１Ｖである。
【００１７】
映像表示過程に適用される前記プリセット逆方向駆動方法において、前記逆方向駆動信号と前記順方向駆動信号とによって、駆動周期が形成され、前記逆方向駆動信号が逆方向電流である場合、前記逆方向電流の時間は、周期の１％から９９％を占め、前記逆方向電流の周波数は、６０Ｈｚ以上であり、前記逆方向電流の幅は、−１Ａｍ／ｃｍ-2から−０．０００１Ａｍ／ｃｍ-2である。
【００１８】
映像表示過程に適用される前記プリセット逆方向駆動方法において、前記逆方向駆動信号と前記順方向駆動信号とによって、駆動周期が形成され、前記逆方向駆動信号が逆方向電流である場合、前記逆方向電流の時間は、周期の１０％から６０％を占め、又は、前記逆方向電流の周波数は、６０Ｈｚから２４０Ｈｚであり、或いは、前記逆方向電流の幅は、−０．１Ａｍ／ｃｍ-2から−０．０００１Ａｍ／ｃｍ-2である。
【００１９】
映像表示過程に適用される前記プリセット逆方向駆動方法において、前記逆方向駆動信号の中間には、ブランク駆動信号が設けられる。
【００２０】
映像表示過程に適用される前記プリセット逆方向駆動方法において、逆方向駆動信号と順方向駆動信号とブランク駆動信号とによって、駆動周期が形成され、前記ブランク駆動信号の時間は、周期の０％から１５％を占める。
【００２１】
映像表示過程に適用される前記プリセット逆方向駆動方法において、前記逆方向駆動信号、前記順方向駆動信号及び前記ブランク駆動信号によって、駆動周期が形成され、前記逆方向駆動信号が、逆方向電圧と逆方向電流とが交互に使用されるものである場合、前記逆方向電圧と前記逆方向電流との時間の合計は、周期の１％から９９％を占める。
【００２２】
映像表示過程に適用される前記プリセット逆方向駆動方法において、前記逆方向駆動信号、前記順方向駆動信号及び前記ブランク駆動信号によって、駆動周期が形成され、前記逆方向駆動信号が、逆方向電圧と逆方向電流とが交互に使用されるものである場合、前記逆方向電圧と前記逆方向電流との時間の合計は、周期の１０％から６０％を占める。
【００２３】
映像表示過程に適用される前記プリセット逆方向駆動方法において、前記逆方向駆動信号、前記順方向駆動信号及び前記ブランク駆動信号によって、駆動周期が形成され、前記逆方向駆動信号が逆方向電圧である場合、前記逆方向電圧の時間は、周期の１％から９９％を占め、又は、前記逆方向電圧の周波数は、６０Ｈｚ以上であり、或いは、前記逆方向電圧の幅は、−１０Ｖから−０．１Ｖである。
【００２４】
映像表示過程に適用される前記プリセット逆方向駆動方法において、前記逆方向駆動信号、前記順方向駆動信号及び前記ブランク駆動信号によって、駆動周期が形成され、前記逆方向駆動信号が逆方向電圧である場合、前記逆方向電圧の時間は、周期の１０％から６０％を占め、又は、前記逆方向電圧の周波数は、６０Ｈｚから２４０Ｈｚであり、或いは、前記逆方向電圧の幅は、−５Ｖから−１Ｖである。
【００２５】
映像表示過程に適用される前記プリセット逆方向駆動方法において、前記逆方向駆動信号、前記順方向駆動信号及び前記ブランク駆動信号によって、駆動周期が形成され、前記逆方向駆動信号が逆方向電流である場合、前記逆方向電流の時間は、周期の１％から９９％を占め、又は、前記逆方向電流の周波数は、６０Ｈｚ以上であり、或いは、前記逆方向電流の幅は、−１Ａｍ／ｃｍ-2から−０．０００１Ａｍ／ｃｍ-2である。
【００２６】
映像表示過程に適用される前記プリセット逆方向駆動方法において、前記逆方向駆動信号、前記順方向駆動信号及び前記ブランク駆動信号によって、駆動周期が形成され、前記逆方向駆動信号が逆方向電流である場合、前記逆方向電流の時間は、周期の１０％から６０％を占め、又は、前記逆方向電流の周波数は、６０Ｈｚから２４０Ｈｚであり、或いは、前記逆方向電流の幅は、−０．１Ａｍ／ｃｍ-2から−０．０００１Ａｍ／ｃｍ-2である。
【発明の効果】
【００２７】
これらの構成によれば、内容のロードにより、映像における画素が点灯した後に複数のフレームに表示される表示内容を事前に取得し、複数の前記フレームに表示される表示内容の順方向駆動信号を駆動する前にそれぞれ逆方向駆動信号を印加し、映像表示パネルにおける画素の電荷集中を事前に抑制する、映像表示過程に適用されるプリセット逆方向駆動方法が提供される。前記逆方向駆動信号によって、欠陥井戸型ポテンシャルのポテンシャル障壁が変えられ、井戸型ポテンシャルに制限及び集中された電荷が除去され、制限された電荷の密度が低減される。したがって、映像表示の輝度を高めるとともに、映像表示パネルの使用寿命を延長させることができる。
【図面の簡単な説明】
【００２８】
【図１】本発明の好適例に係る映像表示過程に適用されるプリセット逆方向駆動方法のフローチャートである。
【図２】本発明において、逆方向駆動信号を印加する場合と逆方向駆動信号を印加していない場合とを比較した第１比較概略図である。
【図３】本発明において、逆方向駆動信号を印加する場合と逆方向駆動信号を印加していない場合とを比較した第２比較概略図である。
【図４】本発明の実施例１に係る駆動信号の波形図である。
【図５】本発明の実施例１において、逆方向駆動信号駆動による映像表示パネルと通常駆動による映像表示パネルとを比較した寿命減衰曲線比較図である。
【図６】本発明の実施例２に係る駆動信号の波形図である。
【図７】本発明の実施例２において、逆方向駆動信号駆動による映像表示パネルと通常駆動による映像表示パネルとを比較した寿命減衰曲線比較図である。
【図８】本発明の実施例３に係る駆動信号の波形図である。
【図９】本発明の実施例３において、逆方向駆動信号駆動による映像表示パネルと通常駆動による映像表示パネルとを比較した寿命減衰曲線比較図である。
【図１０】本発明の実施例４に係る駆動信号の波形図である。
【図１１】本発明の実施例４において、逆方向駆動信号駆動による映像表示パネルと通常駆動による映像表示パネルとを比較した寿命減衰曲線比較図である。
【図１２】本発明の実施例５に係る駆動信号の波形図である。
【図１３】本発明の実施例５において、逆方向駆動信号駆動による映像表示パネルと通常駆動による映像表示パネルとを比較した寿命減衰曲線比較図である。
【図１４】本発明の実施例６に係る駆動信号の波形図である。
【図１５】本発明の実施例６において、逆方向駆動信号駆動による映像表示パネルと通常駆動による映像表示パネルとを比較した寿命減衰曲線比較図である。
【図１６】本発明の実施例７に係る駆動信号の波形図である。
【図１７】本発明の実施例７において、逆方向駆動信号駆動による映像表示パネルと通常駆動による映像表示パネルとを比較した寿命減衰曲線比較図である。
【図１８】本発明の実施例8に係る駆動信号の波形図である。
【図１９】本発明の実施例８において、逆方向駆動信号駆動による映像表示パネルと通常駆動による映像表示パネルとを比較した寿命減衰曲線比較図である。
【図２０】本発明の実施例９に係る駆動信号の波形図である。
【図２１】本発明の実施例９において、逆方向駆動信号駆動による映像表示パネルと通常駆動による映像表示パネルとを比較した寿命減衰曲線比較図である。
【図２２】本発明の実施例１０に係る駆動信号の波形図である。
【図２３】本発明の実施例１０において、逆方向駆動信号駆動による映像表示パネルと通常駆動による映像表示パネルとを比較した寿命減衰曲線比較図である。
【発明を実施するための形態】
【００２９】
本発明によれば、映像表示過程に適用されるプリセット逆方向駆動方法が提供される。本発明の目的、技術手段及び効果をより明確にするために、以下本発明をより詳細に説明する。ここに記載の具体的な実施例は、本発明を解釈するに過ぎず、本発明を限定するものではない。
【００３０】
図１に示すように、本発明に係る映像表示過程に適用されるプリセット逆方向駆動方法は、
内容のロードにより、映像における画素の後の複数のフレームに表示される表示内容を事前に取得するステップＳ１００と、
複数の前記フレームに表示される表示内容の順方向駆動信号を駆動する前にそれぞれ逆方向駆動信号を印加し、映像表示パネルにおける画素の電荷集中を事前に抑制するテップＳ２００と、を含む。
【００３１】
具体的には、映画や映像などの特定内容の表示モードでは、表示パネルは、内容のロードにより、映像における画素の後の複数のフレームに表示される表示内容を事前に取得することができる。すなわち、表示パネルは、現状の画像をプレイするとき、現在の画像が表示された後に複数のフレームに表示される画像表示内容を事前に取得することができる。本発明では、画素が点灯した後に四つのフレームに表示される表示内容を取得することを例として説明する。図２に示すように、取得した四つのフレームに表示される表示内容のうち、図２の上方の順方向駆動信号に逆方向駆動信号がプリセットされていないが、図２の下方の順方向駆動信号に逆方向駆動信号がプリセットされている。本発明によれば、順方向駆動信号の前に逆方向駆動信号を印加することで、映像プレイ中における電荷の集中を事前に抑制することができ、映像表示パネルの使用寿命及び映像表示の輝度を高めることができる。
【００３２】
また、前記逆方向駆動信号は、画素が点灯していないときに印加されるものである。映像プレイ中おいて、内容のロードにより、現在プレイ中の画像が表示された後に複数のフレームに表示される表示内容を事前に取得することができる。すなわち、画像のプレイ時に、表示パネルは、画像が表示された後に表示される幾つかの画像においてどの画素が点灯するか、どの画素が点灯しないかという情報を事前に取得することができる。本発明では、取得した上記情報に基づいて、後の画像において点灯しない画素に逆方向駆動信号を事前に印加することで、映像表示パネルにおける画素の電荷集中を事前に抑制することができる。
【００３３】
また、図２に示すように、前記逆方向駆動信号の強度は、順方向駆動信号の強度に比例する。例えば、前記順方向駆動信号の強度は、０から２２５であり、前記逆方向駆動信号も、０から２２５に比例する。前記逆方向駆動信号は、前記映像表示パネルの絶縁破壊信号よりも小さい。すなわち、前記順方向駆動信号が強くなると、井戸型ポテンシャルに集中する電荷が多くなるので、集中した電荷を強い逆方向駆動信号によって抑制・除去することにより、映像表示パネルの使用寿命を延長させることができる。図２に示すように、第１フレームにおける画像の順方向駆動信号は、第２フレーム及び第４フレームにおける画像の順方向駆動信号よりも大きいので、前記第１フレームにおける画像の逆方向駆動信号も、前記第２フレーム及び前記第４フレームにおける画像の逆方向駆動信号よりも大きい。
【００３４】
また、図３に示すように、前記第３フレームにおける画像では、順方向駆動信号が無いが、第３フレームにおける画像に逆方向駆動信号を印加して電荷の集中を事前に抑制することができる。
【００３５】
また、本発明では、前記逆方向駆動信号は、逆方向電圧、逆方向電流、又は逆方向電圧と逆方向電流とが交互に使用されるものの何れか一つである。
【００３６】
具体的に、逆方向駆動信号がプリプレイの映像表示内容を駆動する場合、前記映像表示パネルに逆方向電圧、逆方向電流、又は交互に発生される逆方向電圧及び逆方向電流を印加する。
印加される逆方向駆動信号が逆方向電圧である場合、前記映像表示パネルにおける画素は、所定の逆方向電場に位置する。逆方向電場では、境界面の付近に集中される電荷は、逆方向電場によってデバイスの外部に追い出される。逆方向電場の強度を調整することにより、欠陥井戸型ポテンシャルのポテンシャル障壁を変えることができるので、井戸型ポテンシャルに制限された電荷を逃がし、制限された電荷の密度を低減することができる。
【００３７】
逆方向電場の強度に対する調整は、前記逆方向電圧の時間、逆方向電圧の周波数及び逆方向電圧の幅を調整することにより行われる。
【００３８】
具体的には、印加される逆方向電圧の時間が占める周期の割合ｒが１％から９９％である場合、前記逆方向電圧の印加時間は、映像表示の輝度及び駆動形態に影響を与える。このため、前記逆方向電圧の時間が占める周期の割合ｒを１０％から６０％にすることが好ましい。当該範囲を選択する場合、輝度及び駆動形態に影響を与えることなく、回復を必要とする電圧を効果的に供給することができる。
【００３９】
具体的には、逆方向電圧の周波数について、印加される逆方向電圧の周波数は、６０Ｈｚ以上である。そして、逆方向電圧の周波数を６０Ｈｚから２４０Ｈｚにすることが好ましい。逆方向電圧の周波数が２４０Ｈｚを超えると、回路が複雑となり、コストが増加すると同時に、必要とされる方向駆動負荷も過大になる。
【００４０】
具体的には、逆方向電圧の幅について、印加される逆方向電圧の幅は、−１０Ｖからから０．１Ｖである。そして、逆方向電圧の幅を−５Ｖから−１Ｖにすることが好ましい。電圧を当該範囲内にすると、回路基板を変えることなく、電圧による駆動を既存の回路基板により供給することができる。また、電圧の幅が低すぎてはならない。電圧が−１Ｖよりも低い場合、電荷除去効果に影響を与えてしまう。前記逆方向駆動電圧を映像表示パネルの絶縁破壊電圧よりも小さくしなければならない。
【００４１】
印加される逆方向駆動信号が逆方向電流である場合、前記逆方向電流は、映像表示パネルにおける画素に所定の電子及び正孔を注入するので、画素に制限された逆タイプのキャリアが中和され、制限された電荷の密度を低減することができる。
【００４２】
具体的には、印加される逆方向電流の時間については、前記逆方向電流の時間が占める周期の割合ｒが１％から９９％になるように制御される。そして、前記逆方向電流の時間が占める周期の割合ｒを１０％から６０％にすることが好ましい。当該範囲を選択する場合、輝度及び駆動形態に影響を与えることなく、回復を必要とする電流を効果的に供給することができる。
【００４３】
具体的には、逆方向電流の周波数については、前記逆方向電流の周波数が６０Ｈｚ以上になるように制御される。そして、逆方向電流の周波数を６０Ｈｚから２４０Ｈｚにすることが好ましい。逆方向電流の周波数が２４０Ｈｚを超えると、回路が複雑となり、コストが増加すると同時に、必要とされる方向駆動負荷も過大になる。
【００４４】
具体的には、逆方向電流の幅については、印加される前記逆方向電流の幅が−１Ａｍ／ｃｍ-2から−０．０００１Ａｍ／ｃｍ-2になるように制御される。そして、前記逆方向電流の幅を−０．１Ａｍ／ｃｍ-2から−０．０００１Ａｍ／ｃｍ-2にすることが好ましい。電流が小さすぎると、電荷除去効果が小さく、また、デバイスが焼損しないように、前記逆方向電流を前記映像表示パネルの絶縁破壊電流よりも小さくしなければならない。
【００４５】
また、本発明では、前記逆方向電圧の波形は、矩形波、三角波、ランプ波、又は正弦波の何れか一つである。前記逆方向電流の波形も、矩形波、三角波、ランプ波、又は正弦波の何れか一つとすることができる。
【００４６】
以下、具体的な実施例を用いて、前記映像表示パネルの駆動方法をさらに説明する。
【００４７】
第１実施例
前記逆方向駆動信号が矩形波の逆方向電圧である場合、図４に示すように、前記逆方向電圧は、順方向駆動信号に密接され、前記逆方向電圧は、映像表示パネルの絶縁破壊電圧よりも小さく、前記逆方向駆動信号と前記順方向駆動信号とによって、駆動周期が形成される。前記逆方向電圧の時間が占める周期の割合ｒは、１％から９９％であり、逆方向電圧の周波数ｆは、６０Ｈｚ以上であり、前記逆方向電圧の幅Ｖｒｅは、−１０Ｖから−０．１Ｖである。実施される場合、最適な効果が得られるように、実際の状況に応じて、範囲内の適切な割合、周波数及び幅を選択することができる。
【００４８】
具体的には、前記逆方向電圧の周波数ｆが６０Ｈｚで、逆方向電圧の時間が占める周期の割合ｒが５０％で、逆方向電圧の幅Ｖｒｅが−３Ｖである場合、図５に示すように、逆方向電圧駆動による映像表示パネルの実際の寿命減衰曲線は、逆方向電圧を印加しない寿命減衰曲線よりも長くなり、減衰の程度が明らかに緩やかになる。
【００４９】
第２実施例
前記逆方向駆動信号が矩形波の逆方向電圧である場合、図６に示すように、前記逆方向駆動信号の中間には、ブランク駆動信号が設けられ、すなわち、前記逆方向電圧は、順方向駆動信号又は前記ブランク駆動信号に密接される。具体的には、前記逆方向駆動信号、前記順方向駆動信号及び前記ブランク駆動信号によって、駆動周期が形成される。順方向駆動信号に密接される逆方向電圧の時間が占める周期の割合は、ｒａであり、ブランク駆動信号に密接される逆方向電圧の時間が占める周期の割合は、ｒｂであり、ブランク駆動信号の時間が占める周期の割合は、ｒ０であり、逆方向駆動信号の時間が占める周期の割合ｒａ＋ｒｂは、１％から９９％であり、前記逆方向電圧の周波数ｆが６０Ｈｚ以上であり、前記逆方向電圧の幅Ｖｒｅは、−１０Ｖから−０．１Ｖである。実施される場合、最適な効果が得られるように、実際の状況に応じて、範囲内の適切な割合、周波数、及び幅を選択することができる。
【００５０】
具体的には、前記逆方向電圧の周波数ｆが１００Ｈｚで、順方向駆動信号に密接される逆方向電圧の時間が占める周期の割合ｒａが０％で、ブランク駆動信号に密接される逆方向電圧の時間が占める周期の割合ｒｂが２０％で、ブランク駆動信号の時間が占める周期の割合ｒ０が１５％で、逆方向電圧の幅Ｖｒｅが−３Ｖである場合、図７に示すように、逆方向電圧駆動による映像表示パネルの実際の寿命減衰曲線は、逆方向電圧を印加しない寿命減衰曲線よりも長くなり、減衰の程度が明らかに緩やかになる。
【００５１】
第３実施例
前記逆方向駆動信号が矩形波の逆方向電流である場合、図８に示すように、前記逆方向電流は、順方向駆動信号に密接され、前記逆方向電流は、映像表示パネルの絶縁破壊電流よりも小さい。前記逆方向駆動信号と前記順方向駆動信号とによって、駆動周期が形成される。前記逆方向電流の時間が占める周期の割合ｒは、１％から９９％であり、前記逆方向電流の周波数ｆが６０Ｈｚ以上であり、前記逆方向電流の幅Ｉｒｅは、−１Ａｍ／ｃｍ-2から−０．０００１Ａｍ／ｃｍ-2である。実施される場合、最適な効果が得られるように、実際の状況に応じて、範囲内の適切な割合、周波数、及び幅を選択することができる。
【００５２】
具体的に、前記逆方向電流の周波数ｆが６０Ｈｚで、逆方向電流の時間が占める周期の割合ｒが５０％で、逆方向電流の幅Ｉｒｅが−０．００１Ａｍ／ｃｍ-2である場合、図９に示すように、逆方向電流駆動による映像表示パネルの実際の寿命減衰曲線は、逆方向電流を印加しない寿命減衰曲線よりも長くなり、減衰の程度が明らかに緩やかになる。
【００５３】
第４実施例
前記逆方向駆動信号が矩形波の逆方向電流である場合、図１０に示すように、前記逆方向駆動信号の中間には、ブランク駆動信号が設けられ、前記逆方向駆動信号は、順方向駆動信号に密接されてもよく、ブランク駆動信号に密接されてもよい。具体的には、前記逆方向駆動信号、前記順方向駆動信号及び前記ブランク駆動信号によって、駆動周期が形成される。順方向駆動信号に密接される逆方向電流の時間が占める周期の割合は、ｒａであり、ブランク駆動信号に密接される逆方向電流の時間が占める周期の割合は、ｒｂであり、ブランク駆動信号の時間が占める周期の割合は、ｒ０であり、逆方向駆動信号の時間が占める周期の割合ｒａ＋ｒｂは、１％から９９％であり、前記逆方向電流の周波数ｆが６０Ｈｚ以上であり、前記逆方向電流の幅Ｉｒｅは、−１Ａｍ／ｃｍ-2から−０．０００１Ａｍ／ｃｍ-2である。実施される場合、最適な効果が得られるように、実際の状況に応じて、範囲内の適切な割合、周波数、及び幅を選択することができる。
【００５４】
具体的には、前記逆方向電流の周波数ｆが１２０Ｈｚで、順方向駆動信号に密接される逆方向電流の時間が占める周期の割合ｒａが３０％で、ブランク駆動信号に密接される逆方向電流の時間が占める周期の割合ｒｂが０％で、ブランク駆動信号の時間が占める周期の割合ｒ０が１５％で、逆方向電流の幅Ｉｒｅが−０．００２Ａｍ／ｃｍ-2である場合、図１１に示すように、逆方向電圧駆動による映像表示パネルの実際の寿命減衰曲線は、逆方向電流を印加しない寿命減衰曲線よりも長くなり、減衰の程度が明らかに緩やかになる。
【００５５】
第５実施例
前記逆方向駆動信号が交互に発生される矩形波の逆方向電圧及び矩形波の逆方向電流であり、かつ、前記逆方向駆動信号にブランク駆動信号が存在しない場合、図１２に示すように、前記逆方向電圧は、映像表示パネルの絶縁破壊電圧よりも小さく、前記逆方向電流は、映像表示パネルの絶縁破壊電流よりも小さく、前記逆方向電圧の時間が占める周期の割合は、ｒＶであり、前記逆方向電流の時間が占める周期の割合は、ｒＩであり、前記逆方向電圧と前記逆方向電流との時間の合計は、周期の１％から９９％を占め、駆動の周波数ｆが６０Ｈｚ以上であり、前記逆方向電圧の幅Ｖｒｅは、−１０Ｖから−０．１Ｖであり、前記逆方向電流の幅Ｉｒｅは、−１Ａｍ／ｃｍ-2から−０．０００１Ａｍ／ｃｍ-2である。
【００５６】
具体的には、前記駆動の周波数ｆが８０Ｈｚで、逆方向電流の時間が占める周期の割合ｒＩが５０％で、逆方向電流の幅Ｉｒｅが−０．００１Ａｍ／ｃｍ-2で、逆方向電圧の時間が占める周期の割合ｒＶが４０％で、逆方向電圧の幅が−３Ｖである場合、図１３に示すように、逆方向駆動による映像表示パネルの実際の寿命減衰曲線は、逆方向駆動信号を印加しない寿命減衰曲線よりも長くなり、減衰の程度が明らかに緩やかになる。
【００５７】
第６実施例
前記逆方向駆動信号が交互に発生される矩形波の逆方向電圧及び矩形波の逆方向電流であり、かつ、前記逆方向駆動信号にブランク駆動信号が存在する場合、図１４に示すように、前記逆方向駆動信号、前記順方向駆動信号及び前記ブランク駆動信号によって、駆動周期が形成される。前記逆方向電圧の時間が占める周期の割合は、ｒＶであり、前記逆方向電流の時間が占める周期の割合は、ｒＩであり、前記逆方向電圧と前記逆方向電流との時間の合計が占める周期の割合ｒＶ＋ｒＩは、１％から９９％であり、ブランク駆動信号の時間が占める周期の割合は、ｒ０であり、前記逆方向電圧の幅Ｖｒｅは、−１０Ｖから−０．１Ｖであり、前記逆方向電流の幅Ｉｒｅは、−１Ａｍ／ｃｍ-2から−０．０００１Ａｍ／ｃｍ-2である。実施される場合、最適な効果が得られるように、実際の状況に応じて、範囲内の適切な割合、周波数、及び幅を選択することができる。
【００５８】
具体的には、前記逆方向電流の周波数ｆが１２０Ｈｚで、順方向駆動信号に密接される逆方向電流の時間が占める周期の割合ｒＩが３０％で、ブランク駆動信号に密接される逆方向電圧の時間が占める周期の割合ｒＶが１０％で、ブランク駆動信号の時間が占める周期の割合ｒ０が１５％で、逆方向電流の幅Ｉｒｅが−０．００２Ａｍ／ｃｍ-2で、逆方向電圧の幅が−２Ｖである場合、図１５に示すように、逆方向電圧駆動による映像表示パネルの実際の寿命減衰曲線は、逆方向駆動信号を印加しない寿命減衰曲線よりも長くなり、減衰の程度が明らかに緩やかになる。
【００５９】
第7実施例
前記逆方向駆動信号が三角波の逆方向電圧である場合、図１６に示すように、前記三角波の逆方向電圧は、順方向駆動信号に密接され、前記逆方向電圧は、映像表示パネルの絶縁破壊電圧よりも小さい。前記逆方向電圧の波形が三角波である場合、上昇領域では、時間が経過するにつれて、逆方向電圧が大きくなる。一方、降下領域では、時間が経過するにつれて、逆方向電圧が小さくなる。動的電圧形態によって、映像表示パネルの負荷が効果的に低減され、その静電容量及びインダクタンスの反応が小さくなる。前記逆方向駆動信号と前記順方向駆動信号とによって、駆動周期が形成される。前記逆方向電圧の時間が占める周期の割合ｒは、１％から９９％であり、逆方向電圧の周波数ｆが６０Ｈｚ以上であり、前記逆方向電圧の幅Ｖｒｅは、−１０Ｖから−０．１Ｖである。実施される場合、最適な効果が図られるように、実際の状況に応じて、範囲内の適切な割合、周波数、及び幅を選択することができる。
【００６０】
具体的には、前記逆方向電圧の周波数ｆが６０Ｈｚで、逆方向電圧の時間が占める周期の割合ｒが５０％で、逆方向電圧の幅Ｖｒｅが−３Ｖである場合、図１７に示すように、三角波の逆方向電圧駆動による映像表示パネルの実際の寿命減衰曲線は、逆方向電圧を印加しない寿命減衰曲線よりも長くなり、減衰の程度が明らかに緩やかになる。
【００６１】
第８実施例
前記逆方向駆動信号が三角波の逆方向電圧であり、かつ、前記三角波の逆方向電圧が負電圧Ｖｒｅに印加される場合、図１８に示すように、前記三角波のピークはＶｔｒであり、前記逆方向電圧の時間が占める周期の割合ｒは、１％から９９％であり、逆方向電圧の周波数ｆが６０Ｈｚ以上であり、前記逆方向電圧の幅Ｖｒｅ＋Ｖｔｒは、−１０Ｖから−０．１Ｖである。実施される場合、最適な効果が図られるように、実際の状況に応じて、範囲内の適切な割合、周波数、及び幅を選択することができる。
【００６２】
具体的には、前記逆方向電圧の周波数ｆが６０Ｈｚで、逆方向電圧の時間が占める周期の割合ｒが５０％で、逆方向電圧の幅Ｖｒｅ＋Ｖｔｒが−５Ｖである場合、図１９に示すように、三角波の逆方向電圧駆動による映像表示パネルの実際の寿命減衰曲線は、逆方向電圧を印加しない寿命減衰曲線よりも長くなり、減衰の程度が明らかに緩やかになる。
【００６３】
第９実施例
前記逆方向駆動信号がランプ波の逆方向電圧であり、かつ、前記ランプ波の逆方向電圧が負電圧Ｖｒｅに印加される場合、図２０に示すように、前記ランプ波のピークはＶｔｒであり、前記Ｖｔｒの値は、正でも負でもよく、前記逆方向電圧の時間が占める周期の割合ｒは、１％から９９％であり、逆方向電圧の周波数ｆが６０Ｈｚ以上であり、前記逆方向電圧の幅Ｖｒｅ＋Ｖｔｒは、−１０Ｖから−０．１Ｖである。実施の場合、最適な効果が図られるように、実際の状況に応じて、範囲内の適切な割合、周波数、及び幅を選択することができる。
【００６４】
具体的には、前記逆方向電圧の周波数ｆが６０Ｈｚで、逆方向電圧の時間が占める周期の割合ｒが５０％で、逆方向電圧の幅Ｖｒｅ＋Ｖｔｒが−５Ｖである場合、図２１に示すように、ランプ波の逆方向電圧駆動による映像表示パネルの実際の寿命減衰曲線は、逆方向電圧を印加しない寿命減衰曲線よりも長くなり、減衰の程度が明らかに緩やかになる。
【００６５】
第１０実施例
前記逆方向駆動信号が正弦波の逆方向電圧である場合、図２２に示すように、前記正弦波の逆方向電圧は、順方向駆動信号に密接され、前記逆方向電圧は、映像表示パネルの絶縁破壊電圧よりも小さい。前記正弦波の逆方向駆動信号と順方向駆動信号とによって、駆動周期が形成される。前記正弦波の逆方向電圧が占める周期の割合ｒは、１％から９９％であり、逆方向電圧の周波数ｆが６０Ｈｚ以上であり、前記逆方向電圧の幅Ｖｒｅは、−１０Ｖから−０．１Ｖである。実施される場合、最適な効果が図られるように、実際の状況に応じて、範囲内の適切な割合、周波数、及び幅を選択することができる。
【００６６】
具体的には、前記逆方向電圧の周波数ｆが６０Ｈｚで、正弦波の逆方向電圧の時間が占める周期の割合ｒが５０％で、逆方向電圧の幅Ｖｒｅが−３Ｖである場合、図２３に示すように、正弦波の逆方向電圧駆動による映像表示パネルの実際の寿命減衰曲線は、逆方向電圧を印加しない寿命減衰曲線よりも長くなり、減衰の程度が明らかに緩やかになる。
【００６７】
以上のとおり、本発明によれば、内容のロードにより、映像における画素が点灯した後に複数のフレームに表示される表示内容を事前に取得し、複数の前記フレームに表示される表示内容の順方向駆動信号を駆動する前にそれぞれ逆方向駆動信号を印加し、映像表示パネルにおける画素の電荷集中を事前に抑制する、映像表示過程に適用されるプリセット逆方向駆動方法が提供される。前記逆方向駆動信号によって、欠陥井戸型ポテンシャルのポテンシャル障壁が変えられ、井戸型ポテンシャルに制限及び集中された電荷が除去され、制限された電荷の密度が低減される。したがって、映像表示の輝度を高めるとともに、映像表示パネルの使用寿命を延長させることができる。
【００６８】
本発明の適用は、上記の例に限定されず、当業者にとって、上記の説明に従って改良又は変更を行うことができる。これらの改良及び変更は、いずれも特許請求の範囲に属する。
【図１】
0006920541.tif 000002
【図２】
0006920541.tif 000003
【図３】
0006920541.tif 000004
【図４】
0006920541.tif 000005
【図５】
0006920541.tif 000006
【図６】
0006920541.tif 000007
【図７】
0006920541.tif 000008
【図８】
0006920541.tif 000009
【図９】
0006920541.tif 000010
【図１０】
0006920541.tif 000011
【図１１】
0006920541.tif 000012
【図１２】
0006920541.tif 000013
【図１３】
0006920541.tif 000014
【図１４】
0006920541.tif 000015
【図１５】
0006920541.tif 000016
【図１６】
0006920541.tif 000017
【図１７】
0006920541.tif 000018
【図１８】
0006920541.tif 000019
【図１９】
0006920541.tif 000020
【図２０】
0006920541.tif 000021
【図２１】
0006920541.tif 000022
【図２２】
0006920541.tif 000023
【図２３】
0006920541.tif 000024